Podtech/llm-jp-corpus-v4-ja_patent huggingface dataset:
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
複数の画素を含む表示パネルと、
以前フレームの補償データと、測定された温度値に対応する複数の設定温度値がマッピ
ングされたルックアップテーブルの中の測定された前記温度値に最も近い前記設定温度値
を通じて生成された補償データとを用いて前記温度値に従う画像データの補償データを生
成するデータ補償部と、
前記補償データを利用して前記表示パネルを駆動するデータ駆動部とを有することを特
徴とする表示装置。
【請求項２】
前記データ補償部は、前記温度値が、前記温度値より小さくて前記温度値に最も近い第
１設定温度値と該第１設定温度値より大きい第１許容温度値との間に存在し、前記以前フ
レームの補償データが前記第１設定温度値を基にして生成された値である場合、前記以前
フレームの補償データを前記画像データの補償データで生成し、
前記温度値が、前記温度値より大きくて前記温度値に最も近い第２設定温度値と該第２
設定温度値より小さい第２許容温度値との間に存在し、前記以前フレームの補償データが
前記第２設定温度値を基にして生成された値である場合、前記以前フレームの補償データ
を前記画像データの補償データで生成し、
前記温度値が、前記第１許容温度値と前記第２設定温度値との間に存在し、前記以前フ
レームの補償データが前記第１設定温度値を基にして生成された値である場合、前記以前
フレームの補償データと前記第２設定温度値とを基にして生成された補償データを用いて
前記画像データの補償データを生成し、
前記温度値が、前記第１設定温度値と前記第２許容温度値との間に存在し、前記以前フ
レームの補償データが前記第２設定温度値を基にして生成された値である場合、前記以前
フレームの補償データと前記第１設定温度値とを基にして生成された補償データを用いて
前記画像データの補償データを生成することを特徴とする請求項１に記載の表示装置。
【請求項３】
前記データ補償部は、前記温度値が前記複数の設定温度値の中の１つと同じである時、
前記温度値に対応するルックアップテーブルを用いて前記画像データを補償する補償デー
タを生成することを特徴とする請求項１に記載の表示装置。
【請求項４】
複数の画素を含む表示パネルと、
前記表示パネルの複数の空間領域に対応してマッピングされた複数のルックアップテー
ブルを用いて画像データの位置に関連する補償データを生成するデータ補償部と、
前記補償データを用いて前記表示パネルを駆動するデータ駆動部とを有することを特徴
とする表示装置。
【請求項５】
前記データ補償部は、複数の空間領域にそれぞれ対応するマッピングされたルックアッ
プテーブルを用いて前記空間領域に位置した画像データの補償データを生成し、前記空間
領域に位置した画像データの補償データを用いて前記空間領域と隣接する境界領域に位置
した画像データの補償データを生成することを特徴とする請求項４に記載の表示装置。
【請求項６】
前記データ補償部は、前記境界領域が互いに隣接した２つの前記空間領域の間に位置す
る場合、前記２つの空間領域の各々に位置した画像データの補償データを用いて前記境界
領域に位置した画像データの補償データを生成し、
前記境界領域が互いに隣接した４つの空間領域の間に位置する場合、前記４つの空間領
域の各々に位置した画像データの補償データを用いて前記境界領域に位置した画像データ
の補償データを生成することを特徴とする請求項５に記載の表示装置。
【請求項７】
複数の画素を含む表示パネルと、
測定された温度値に関連する前記表示パネルの複数の空間領域がマッピングされた複数
のルックアップテーブルを用いて、画像データの位置による補償データを生成するデータ
補償部と、
前記補償データを用いて前記表示パネルを駆動するデータ駆動部とを有することを特徴
とする表示装置。
【請求項８】
前記データ補償部は、前記温度値が複数の設定温度値の中の１つと同じである時、
それぞれの空間領域に対応してマッピングされたルックアップテーブルを用いて前記空
間領域に位置した画像データの補償データを生成し、前記空間領域に位置した画像データ
の補償データを用いて前記空間領域と隣接した境界領域に位置した画像データの補償デー
タを生成しつつ、
前記データ補償部は、前記境界領域が互いに隣接した２つの空間領域の間に位置する場
合、前記２つの空間領域の各々に位置した画像データの補償データを用いて前記境界領域
に位置した画像データの補償データを生成し、
前記境界領域が互いに隣接した４つの空間領域の間に位置する場合、前記４つの空間領
域の各々に位置した画像データの補償データを用いて前記境界領域に位置した画像データ
の補償データを生成することを特徴とする請求項７に記載の表示装置。
【請求項９】
前記データ補償部は、前記温度値が複数の設定温度値に間に存在する場合、
以前フレームの補償データと前記温度値に最も近い設定温度値がマッピングされたルッ
クアップテーブルを通じて生成された補償データを用いて画像データの補償データを生成
することを特徴とする請求項７に記載の表示装置。
【請求項１０】
前記データ補償部は、前記温度値が、前記温度値より小さくて前記温度値に最も近い第
１設定温度値と該第１設定温度値より大きい第１許容温度値との間に存在し、前記以前フ
レームの補償データが前記第１設定温度値を基にして生成された値である場合、前記以前
フレームの補償データを前記画像データの補償データで生成し、
前記温度値が、前記温度値より大きくて前記温度値に最も近い第２設定温度値と該第２
設定温度値より小さい第２許容温度値との間に存在して、前記以前フレームの補償データ
が前記第２設定温度値を基にして生成された値である場合、前記以前フレームの補償デー
タを前記画像データの補償データで生成し、
前記温度値が、前記第１許容温度値と前記第２設定温度値との間に存在して、前記以前
フレーム補償データが前記第１設定温度値を基にして生成された値である場合、前記以前
フレームの補償データと前記第２設定温度値とを基にして生成された補償データを用いて
前記画像データの補償データを生成し、
前記温度値が、前記第１設定温度値と前記第２許容温度値との間に存在し、前記以前フ
レームの補償データが前記第２設定温度値を基にして生成された値である場合、前記以前
フレームの補償データと前記第１設定温度値とを基にして生成された補償データを用いて
前記画像データの補償データを生成することを特徴とする請求項９に記載の表示装置。
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
基板を移動させるステージと、
前記基板に積層されるレイヤと、
前記レイヤにパターンを露光するために露光ビームをビームスポットアレイ状に転写し、仮想のマスクを生成する光変調素子と、
前記レイヤに彫られた整列マークの位置を計測する整列部と、
前記計測された整列マークの位置を用いて前記仮想のマスクに存在するターゲットマークの位置を計算し、前記計算されたターゲットマークの位置を用いて前記仮想のマスクと前記基板の整列を行う制御部と、を含むマスクレス露光装置。
【請求項２】
前記レイヤは複数で構成される、請求項１に記載のマスクレス露光装置。
【請求項３】
前記各レイヤには前記整列マークが２個以上存在する、請求項２に記載のマスクレス露光装置。
【請求項４】
前記整列部は、前記各レイヤ別の前記整列マークの位置を計測するスコープである、請求項２に記載のマスクレス露光装置。
【請求項５】
前記整列部は、前記複数のレイヤのうちｉ番目のレイヤに対する露光、現像、エッチング、蒸着及びＰＲ塗布などの一連の工程が終了し、（ｉ＋１）番目のレイヤを露光する直前の基板で前記ｉ番目のレイヤに存在する前記整列マークの位置を計測する、請求項２に記載のマスクレス露光装置。
【請求項６】
前記制御部は、前記計算されたターゲットマークの位置と前記計測された整列マークの位置との間の相対位置を計算し、前記計算された相対位置によって前記各レイヤ別にオーバーレイするように前記ステージの移送量を決定する、請求項５に記載のマスクレス露光装置。
【請求項７】
前記制御部は、前記（ｉ＋１）番目のレイヤを露光する前に前記計算された相対位置量だけ前記ステージの移送量を補償し、前記仮想のマスクと前記基板の整列を行う、請求項６に記載のマスクレス露光装置。
【請求項８】
前記ターゲットマークは、前記オーバーレイ整列時に基準になる仮想の整列マークである、請求項６に記載のマスクレス露光装置。
【請求項９】
基板をステージ上に載せ、
前記基板にレイヤを積層する場合、前記レイヤにパターンを露光するために光変調素子を用いて仮想のマスクを生成し、
前記レイヤに彫られた整列マークの位置を計測し、
前記計測された整列マークの位置を用いて前記仮想のマスクに存在するターゲットマークの位置を計算し、
前記計算されたターゲットマークの位置を用いて前記仮想のマスクと前記基板の整列を行うことを含むマスクレス露光でのオーバーレイのための整列方法。
【請求項１０】
前記計算されたターゲットマークの位置と前記計測された整列マークの位置との間の相対位置を計算し、
前記計算された相対位置によって前記ステージの移送量を決定し、
前記決定されたステージの移送量を補償し、前記複数のレイヤをオーバーレイすることをさらに含む、請求項９に記載のマスクレス露光でのオーバーレイのための整列方法。
【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
ａ）感光性要素に隣接して支持材と反対の光重合性層の側面上に配置される、画像領域と非画像領域とを含むフロントマスクを提供し、
ｂ）化学線不透過要素から、無傷領域と、カットアウト領域とを有する背面マスクを形成し、
ｃ）工程ａ）の要素の前記支持材に隣接して前記背面マスクを配置し、前記無傷領域を前記非画像領域と位置合わせし、
ｄ）工程ｃ）の要素を、前記フロントマスクを通して化学線に露光して、前記画像領域に対応する前記光重合性層の硬化部分を形成し、
ｅ）工程ｃ）の要素を、前記背面マスクを通して化学線に露光して、前記硬化部分に隣接する硬化フロアを形成し、ならびに前記非画像領域に対応する前記光重合性層の未露光部分を提供し、
ｆ）露光工程ｄ）およびｅ）後に得られる要素を処理して、前記フロアを備えた前記硬化部分のレリーフ領域を形成し、ここで前記光重合性層が少なくともある程度、前記支持材の前記未露光領域に残り、
ｇ）前記光重合性層の前記未露光領域を、前記支持材からおよび前記レリーフ領域から除去し、前記レリーフ領域が前記支持材上に残って、印刷フォームを形成することを含む、支持材上に光重合性層を含む感光性要素から印刷フォームを製造する方法。
【請求項２】
前記除去工程ｇ）が、
ｇ１）前記レリーフ領域の周囲に沿った前記光重合性層を通した第１の切断を含む、工程ｆ）の要素を切断することと、
ｇ２）前記光重合性層の前記未露光領域を、前記レリーフ領域および前記支持材から分離することと
を含む請求項１に記載の方法。
【手続補正２】
【補正対象書類名】明細書
【補正対象項目名】００７２
【補正方法】変更
【補正の内容】
【００７２】
感光性要素の露光（および処理）後、複合印刷フォームの感光性要素は、約２０〜約８０ショアＡのデュロメータを有する。ある実施形態において、複合印刷フォームの（露光および処理）感光性要素は、３０〜５０ショアＡのデュロメータを有する。ショアデュロメータは、押込みに対する材料の抵抗性の尺度である。ショアＡのデュロメータは、軟性ゴムまたはエラストマー材料に典型的に用いられる基準であり、値が大きいと、透過に対する抵抗性が大きい。印刷フォームのデュロメータは、ＤＩＮ５３，５０５またはＡＳＴＭ  Ｄ２２４０−００に記載された標準化された手順に従って測定することができる。
なお、本発明は、特許請求の範囲を含め、以下の発明を包含する。
１．ａ）感光性要素に隣接して支持材と反対の光重合性層の側面上に配置される、画像領域と非画像領域とを含むフロントマスクを提供し、
ｂ）化学線不透過要素から、無傷領域と、カットアウト領域とを有する背面マスクを形成し、
ｃ）工程ａ）の要素の前記支持材に隣接して前記背面マスクを配置し、前記無傷領域を前記非画像領域と位置合わせし、
ｄ）工程ｃ）の要素を、前記フロントマスクを通して化学線に露光して、前記画像領域に対応する前記光重合性層の硬化部分を形成し、
ｅ）工程ｃ）の要素を、前記背面マスクを通して化学線に露光して、前記硬化部分に隣接する硬化フロアを形成し、ならびに前記非画像領域に対応する前記光重合性層の未露光部分を提供し、
ｆ）露光工程ｄ）およびｅ）後に得られる要素を処理して、前記フロアを備えた前記硬化部分のレリーフ領域を形成し、ここで前記光重合性層が少なくともある程度、前記支持材の前記未露光領域に残り、
ｇ）前記光重合性層の前記未露光領域を、前記支持材からおよび前記レリーフ領域から除去し、前記レリーフ領域が前記支持材上に残って、印刷フォームを形成することを含む、支持材上に光重合性層を含む感光性要素から印刷フォームを製造する方法。
２．工程ｄ）および工程ｅ）を同時に、または任意の順で続けて行う１に記載の方法。
３．工程ｆ）の後、前記フロアはある厚さを有し、前記支持材の前記未露光領域に残る前記光重合性層は、前記フロアの厚さと同じ、または実質的に同じ厚さを有する１に記載の方法。
４．工程ｆ）の後、前記フロアはある厚さを有し、前記支持材の前記未露光領域に残る前記光重合性層は、前記フロアの厚さより薄い厚さを有する１に記載の方法。
５．前記支持材の前記未露光領域に残る前記光重合性層の厚さは、前記フロアの厚さより約１〜約２０ミル薄い４に記載の方法。
６．工程ｆ）の後、前記フロアはある厚さを有し、前記支持材の前記未露光領域に残る前記光重合性層は、約５０ミル〜前記フロアの厚さと略同じ厚さを有する１に記載の方法。
７．工程ｆ）の後、前記フロアはある厚さを有し、前記支持材の前記未露光領域に残る前記光重合性層は、約４０ミル〜前記フロアの厚さと略同じ厚さを有する１に記載の方法。
８．工程ｆ）の前、前記要素の前記光重合性層は、約９０〜２８０ミルの厚さを有する１に記載の方法。
９．前記除去工程ｇ）が、
ｇ１）前記レリーフ領域の周囲に沿った前記光重合性層を通した第１の切断を含む、工程ｆ）の要素を切断することと、
ｇ２）前記光重合性層の前記未露光領域を、前記レリーフ領域および前記支持材から分離することと
を含む１に記載の方法。
１０．工程ｇ）が、前記未露光領域における前記光重合性層と支持材を通した第２の切断をさらに含み、第２の切断により前記レリーフ領域の少なくとも１つの側面の端から伸びる前記支持材の周縁部が形成される９に記載の方法。
１１．工程ｇ）の後、前記支持材の周縁部が、前記レリーフ領域の前記周囲の少なくとも１つの側面の端を超えて伸びる１に記載の方法。
１２．前記マスクを提供する工程ａ）が、前記支持材と反対の前記光重合性層の側面上に配置された化学線不透過層の、前記感光性要素上の一体化マスクを形成することを含む１に記載の方法。
１３．少なくとも１つの位置合わせマークを、前記非画像領域に作成し、
少なくとも１つの位置合わせマークを、前記背面マスクの前記無傷領域に作成することをさらに含み、
前記無傷領域の、前記非画像領域との位置合わせは、前記非画像領域の前記少なくとも１つの位置合わせマークを、前記無傷領域の前記少なくとも１つの位置合わせマークと位置合わせすることにより実施される１に記載の方法。
【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
媒体上にサーボパターンを生成するための装置であって、
マスタディスクライタと、
前記マスタディスクライタに結合されるコントローラとを備え、前記コントローラは、前記マスタディスクライタを制御して、マスタディスクの回転の間に前記マスタディスク上にサーボパターンを露光するように構成され、前記サーボパターンは、前記マスタディスク上の異なる径方向位置に複数のサーボバーストを有し、各々のサーボバーストは複数の遷移を含み、
前記コントローラは、第２の径方向位置に少なくとも１つのサーボバーストの少なくとも１つの遷移が露光される、前記マスタディスクの同じ回転において、第１の径方向位置に少なくとも１つのサーボバーストの少なくとも１つの遷移が露光されるように構成される、装置。
【請求項２】
前記コントローラは、前記マスタディスクライタを制御して、前記マスタディスクに１回目の回転をさせ、前記１回目の回転の間に第１の径方向位置に複数のサーボバーストの第１のものの第１の遷移を形成し、前記１回目の回転の間に第２の径方向位置に前記複数のサーボバーストの第２のものの第１の遷移を形成することによって前記マスタディスク上にサーボパターンを露光するように構成される、請求項１に記載の装置。
【請求項３】
前記コントローラは、前記マスタディスクライタを制御して、前記マスタディスクに２回目の回転をさせ、前記２回目の回転の間に前記第１の径方向位置に前記複数の前記サーボバーストの前記第１のものの第２の遷移を形成し、前記２回目の回転の間に前記第２の径方向位置に前記複数のサーボバーストの前記第２のものの第２の遷移を形成することによって前記マスタディスク上にサーボパターンを露光するように構成される、請求項２に記載の装置。
【請求項４】
各々の遷移は前記遷移内の異なるそれぞれの径方向位置に複数のスポットを備え、前記コントローラは、
前記マスタディスクライタを制御して、前記マスタディスクの同じ回転の間に前記遷移内の前記異なるそれぞれの径方向位置にバースト内の隣接する遷移のスポットを露光するか、または
前記マスタディスクライタを制御して、前記マスタディスクの別個の回転においてバースト内の同じ公称径方向位置に隣接する遷移のスポットを露光するように構成される、請求項１に記載の装置。
【請求項５】
前記コントローラは、前記マスタディスク上の異なる径方向位置にサーボバーストを露光する際に、前記マスタディスクライタを制御して、露光ビームをほぼ斜め方向に動かすように構成される、請求項１に記載の装置。
【請求項６】
サーボパターニングされたマスタを形成する方法であって、
マスタを回転するステップと、
前記マスタが回転する間に前記マスタ上にサーボパターンを露光するステップとを備え、前記サーボパターンは前記マスタ上の異なる径方向位置に複数のサーボバーストを有し、各々のサーボバーストは複数の遷移を備え、
第１の径方向位置に少なくとも１つのサーボバーストの少なくとも１つの遷移は、第２の径方向位置に少なくとも１つのサーボバーストの少なくとも１つの遷移が露光される、前記マスタの同じ回転において露光される、方法。
【請求項７】
公称径方向位置からの、サーボバーストの前記複数の遷移の個別のものの変位はランダム化される、請求項６に記載の方法。
【請求項８】
各々の遷移は前記遷移内の異なるそれぞれの径方向位置に複数のスポットを備え、
前記方法は、
前記マスタの同じ回転の間に前記遷移内の前記異なるそれぞれの径方向位置にバースト内の隣接する遷移のスポットを露光するステップ、または
前記マスタの別個の回転においてバースト内の同じ公称径方向位置に隣接する遷移のスポットを露光するステップをさらに備える、請求項７に記載の方法。
【請求項９】
前記サーボパターンを露光するステップは、前記マスタに１回目の回転をさせ、前記１回目の回転の間に前記第１の径方向位置に複数のサーボバーストの第１のものの第１の遷移を形成し、前記１回目の回転の間に前記第２の径方向位置に前記複数のサーボバーストの第２のものの第１の遷移を形成するステップを含む、請求項６に記載の方法。
【請求項１０】
前記サーボパターンを露光するステップは、前記マスタに２回目の回転をさせ、前記２回目の回転の間に前記第１の径方向位置に前記複数の前記サーボバーストの前記第１のものの第２の遷移を形成し、前記２回目の回転の間に前記第２の径方向位置に前記複数のサーボバーストの前記第２のものの第２の遷移を形成するステップを含む、請求項９に記載の方法。
【請求項１１】
前記マスタのｎ回目の回転の間に、前記第１の径方向位置に第ｎの遷移を形成するとともに前記第２の径方向位置に第ｎの遷移を形成するステップをさらに備え、ｎは２より大きな整数である、請求項１０に記載の方法。
【請求項１２】
１からｎまでの回転の間に、ｋ個のそれぞれの径方向位置に１からｎ個の遷移を形成するステップをさらに備え、ｋは２より大きい、請求項１１に記載の方法。
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
ポリマーマトリックス、
ポリマーマトリックス中に配置され、励起時に光化学変化を受けることができる反応体（１２２）、及び
ポリマーマトリックスに化学結合した非線形増感剤（１２０）であって、１種以上のサブフタロシアニン逆可飽和吸収体を含み、１以上の波長の放射への暴露時に反応体（１２２）に屈折率変化を引き起こす非線形増感剤（１２０）
を含んでなる組成物。
【請求項２】
１以上の波長の放射が約３８０〜約４５０ｎｍの波長を含む、請求項１記載の組成物。
【請求項３】
非線形増感剤（１２０）が１以上の波長の放射への暴露時に上位三重項エネルギー移動を引き起こし、上位三重項エネルギー移動に応答して屈折率変化が起こる、請求項１または２に記載の組成物。
【請求項４】
１種以上のサブフタロシアニン逆可飽和吸収体が、ホウ素サブフタロシアニン３−ヨード−５−グルタリルフェノキシド誘導体（Ｘ）、ホウ素サブフタロシアニン４−ブロモ−５−グルタリルフェノキシド誘導体（ＸＩ）、又は、ホウ素サブフタロシアニン２−ブロモ−５−グルタリルフェノキシド誘導体（ＸＩＩ）を含む、請求項１乃至３のいずれかに記載の組成物。
【請求項５】
非線形増感剤（１２０）がエネルギー移動閾値型色素を含む、請求項１乃至４のいずれかに記載の組成物。
【請求項６】
非線形増感剤（１２０）が１以上の共有結合によってポリマーマトリックスに化学結合している、請求項１乃至５のいずれかに記載の組成物。
【請求項７】
反応体（１２２）がスチルベン誘導体、シンナメート、シンナメート誘導体、シンナムアミド誘導体又はこれらの組合せを含む、請求項１乃至６のいずれかに記載の組成物。
【請求項８】
ポリマーマトリックスがポリビニル組成物を含む、請求項１乃至７のいずれかに記載の組成物。
【請求項９】
反応体（１２２）がポリマーマトリックスに化学結合している、請求項１乃至８のいずれかに記載の組成物。
【請求項１０】
ポリマーマトリックス、
励起時に光化学変化を受けることで屈折率変化を引き起こすことができる反応体（１２２）、及び
反応体（１２２）が１以上の波長の放射に暴露された場合に反応体（１２２）の励起を引き起こすことができる非線形増感剤（１２０）であって、１種以上のサブフタロシアニン逆可飽和吸収体を含み、ポリマーマトリックスに化学結合している非線形増感剤（１２０）
を含んでなる光データ記憶媒体（１４０）。
【請求項１１】
請求項１乃至９のいずれかに記載の組成物を含む、光データ記憶媒体（１４０）。
【請求項１２】
光データ記憶媒体（１４０）がマイクロホログラフィックデータを記憶できる、請求項１０または１１に記載の光データ記憶媒体（１４０）。
【請求項１３】
ポリマーマトリックスが、１種以上のポリ（アルキルメタクリレート）、ポリ（アルキルアクリレート）、ポリスチレン、ポリカーボネート、ポリアクリレート、ポリ（塩化ビニリデン）、ポリ（酢酸ビニル）又はこれらの組合せを含む、請求項１０乃至１２のいずれかに記載の光データ記憶媒体（１４０）。
【請求項１４】
非線形増感剤（１２０）がポリマーマトリックス中で３ｗｔ％を超える添加量レベルで誘導体化されている、請求項１０乃至１３のいずれかに記載の光データ記憶媒体（１４０）。
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
ＭＥＭＳセンサパッケージシステムであって、
少なくとも１つのセンサパッケージ（６０）を有し、
前記センサパッケージ（６０）は、少なくとも１つの基板層（３２、３４）と、
ＭＥＭＳセンサを有するセンサ層（２４）と、
少なくとも１つの絶縁層（２６、２８）と、を有し、
前記ＭＥＭＳセンサパッケージシステムはさらに板（６４）を有し、
少なくとも１つの前記絶縁層は、前記センサ層に接着され、前記少なくとも１つの基板層は、前記少なくとも１つの絶縁層に取り付けられ、前記層は第１表面を有し、前記第１表面が互いにほぼ平行であり、前記少なくとも１つの基板層は、前記第１表面の法線ベクトルから５４°から５５．５°間で異なる法線ベクトルを備える第１側部表面を有し、前記側部表面は前記板に取り付けられる、ＭＥＭＳセンサパッケージシステム。
【請求項２】
請求項１に記載のシステムであって、
前記センサパッケージは、１つ以上の伝導ビア（７０）を有し、前記伝導ビア（７０）は、前記センサ層上の電気的トレースに電気的に接続され、前記１つ以上の伝導ビアは、前記第１側部表面で前記基板層を通り、また、前記少なくとも１つの絶縁層の１つを通り、前記ＭＥＭＳセンサパッケージシステムは、更に前記板および前記センサパッケージに取り付けられる少なくとも１つの伝導ビード（７６）を有し、前記少なくとも１つの伝導ビード（７６）は、前記１つ以上の伝導ビアおよび前記板上の電気トレースに電気的に連結される、システム。
【請求項３】
方法であって、前記方法は、
ウェハ上に１つ以上のセンサパッケージを形成するステップを有し、前記センサパッケージは、
少なくとも１つの基板層（３２、３４）と、
ＭＥＭＳセンサを有するセンサ層（２４）と、
前記センサ層と前記少なくとも１つの基板層との間に配置される少なくとも１つの絶縁層（２６、２８）と、を有し、
前記ＭＥＭＳセンサの周囲の位置において、前記少なくとも１つの基板層の１つにマスキングし、Ｖ溝を非等方性エッチング形成するステップを有し、前記少なくとも１つの基板層は、１００結晶面方位であり、
前記方法はさらに、前記ウェハから前記少なくとも１つのセンサパッケージを前記Ｖ溝で分離するステップと、
エッチングにより形成された前記基板層の表面を板に取り付けるステップと、を備える、方法。
【請求項４】
請求項３に記載の方法であって、
前記基板層の表面を前記板に取り付ける前に、前記少なくとも１つの基板層（３２、３４）および少なくとも１つの絶縁層（２６、２８）に１つ以上の伝導ビア（７０）を形成するステップを更に有し、
前記１つ以上の伝導ビア（７０）は、前記センサ層上の少なくとも１つの電気トレースに電気的に接続され、
前記取り付けるステップはさらに、前記板および前記センサパッケージに少なくとも１つの伝導ビード（７６）を付与するステップを有し、前記少なくとも１つの伝導ビード（７６）は、前記１つ以上の伝導ビアおよび前記板上の電気トレースに電気的に接続される、方法。
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
回路保護システムとともに使用するハブ（１０６）であって、
光源（２０６）および少なくとも１つの光センサ（２０４）を含む少なくとも１つのセンサデバイス（１０２）に通信可能に結合するように構成された第１の入力ポート（２１８）と、
少なくとも１つの制御装置（１２４）に通信可能に結合するように構成された第１の出力ポート（２２６）と、
前記第１の入力ポート（２１８）および前記第１の出力ポート（２２６）に通信可能に結合された処理装置（２３６）であり、
前記光源（２０６）が発射した試験パルスに応答したセンサステータス信号を、前記第１の入力ポート（２１８）を経由して、前記少なくとも１つの光センサ（２０４）から受け取り、
前記センサステータス信号に少なくとも部分的に基づくハブステータス信号を、前記第１の出力ポート（２２６）を経由して、前記少なくとも１つの制御装置（１２４）に送信する
ように構成された処理装置（２３６）と
を備えるハブ（１０６）。
【請求項２】
前記少なくとも１つのセンサデバイス（１０２）が複数のセンサデバイス（１０２）を含み、前記第１の入力ポート（２１８）が複数の第１の入力ポート（２１８）を備え、前記複数の第１の入力ポート（２１８）がそれぞれ、前記複数のセンサデバイス（１０２）のうちのそれぞれのセンサデバイス（１０２）に通信可能に結合するように構成された、請求項１記載のハブ（１０６）。
【請求項３】
前記処理装置（２３６）がさらに、
対応する光センサ（２０４）を試験するために、前記複数のセンサデバイス（１０２）のうちのそれぞれのセンサデバイス（１０２）のそれぞれの光源（２０６）を活動化し、
前記複数のセンサデバイス（１０２）のうちのそれぞれのセンサデバイス（１０２）からセンサステータス信号を受け取る
ように構成された、請求項２記載のハブ（１０６）。
【請求項４】
前記処理装置（２３６）がさらに、前記複数のセンサデバイス（１０２）のうちのそれぞれのセンサデバイス（１０２）から、前記センサステータス信号を表す電流を受け取り、前記電流に基づいて、前記複数のセンサデバイス（１０２）のうちのそれぞれのセンサデバイス（１０２）に対するセンサステータスを決定するように構成された、請求項２記載のハブ（１０６）。
【請求項５】
前記処理装置（２３６）がさらに、前記複数のセンサデバイス（１０２）のうちのそれぞれのセンサデバイス（１０２）の前記センサステータスに少なくとも部分的に基づいて、前記ハブステータスを決定するように構成された、請求項４記載のハブ（１０６）。
【請求項６】
前記処理装置（２３６）がさらに、前記センサステータス信号および前記ハブ（１０６）の動作ステータスに少なくとも部分的に基づいて、前記ハブ（１０６）のハブステータスを決定するように構成されており、前記ハブステータス信号が前記ハブステータスを表す、請求項１乃至５のいずれかに記載のハブ（１０６）。
【請求項７】
前記ハブ（１０６）がさらに、ペアード冗長ハブ（１０６）に通信可能に結合するように構成された第２の出力ポート（２２８）を備え、前記処理装置（２３６）がさらに、前記ハブステータスを、前記第２の出力ポート（２２８）を経由して、前記ペアード冗長ハブ（１０６）に送信するように構成された、請求項１乃至６のいずれかに記載のハブ（１０６）。
【請求項８】
前記ハブ（１０６）がさらに、ペアード冗長ハブ（１０６）に通信可能に結合するように構成された第２の入力ポート（２２０）を備え、前記処理装置（２３６）がさらに、前記第２の入力ポート（２２０）を経由して、前記ペアード冗長ハブ（１０６）のハブステータスを受け取るように構成された、請求項１乃至７のいずれかに記載のハブ（１０６）。
【請求項９】
光源（２０６）および少なくとも１つの光センサ（２０４）をそれぞれが備える複数のセンサデバイス（１０２）と、
回路保護デバイスを活動化するように構成された少なくとも１つの制御装置（１２４）と、
前記複数のセンサデバイス（１０２）および前記少なくとも１つの制御装置（１２４）に通信可能に結合された少なくとも１つのハブ（１０６）と
を備え、前記少なくとも１つのハブ（１０６）が、
前記複数のセンサデバイス（１０２）のうちのそれぞれのセンサデバイス（１０２）の前記少なくとも１つの光センサ（２０４）からセンサステータス信号を受け取り、
前記センサステータス信号に少なくとも部分的に基づくハブステータス信号を、前記少なくとも１つの制御装置（１２４）に送信し、
前記複数のセンサデバイス（１０２）のうちの１つのセンサデバイス（１０２）からアーク閃光検出信号を受け取り、
前記回路保護デバイスを活動化する際に使用するため、前記アーク閃光検出信号を、前記少なくとも１つの制御装置（１２４）に送信する
ように構成された冗長光感知システム（１００）。
【請求項１０】
前記少なくとも１つのハブ（１０６）が第１のハブ（１１２）および第２のハブ（１１４）を備え、前記第１のハブ（１１２）が、第１の複数のセンサデバイス（１２０）に通信可能に結合され、前記第２のハブ（１１４）が、第２の複数のセンサデバイス（１２２）に通信可能に結合された、請求項９記載の冗長光感知システム。
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
映像を表示する表示パネルと、
前記表示パネルに光を提供する光源モジュールと、
前記光源モジュールと電気的に接続され、前記表示パネルに軟質フィルムを介して接続された印刷回路基板と、
前記光源モジュールと前記表示パネルとを収納するメイン収納部、及び該メイン収納部と接続され、前記メイン収納部の一側部に沿って第１方向に延長されて前記印刷回路基板を支持する基板固定部を含む収納容器と、を備えることを特徴とする表示装置。
【請求項２】
前記軟質フィルムは、前記表示パネルから前記基板固定部の第１面を経由して前記第１方向と異なる第２方向に延長され、前記第１面から該第１面の反対面である第２面に折曲されることを特徴とする請求項１に記載の表示装置。
【請求項３】
前記印刷回路基板は、前記基板固定部の前記第２面と接触することを特徴とする請求項２に記載の表示装置。
【請求項４】
前記基板固定部の第２面は、前記印刷回路基板の回路未形成面と直接的に接触することを特徴とする請求項３に記載の表示装置。
【請求項５】
前記軟質フィルムは、前記基板固定部の前記第１面と向き合う対向面に実装される駆動チップを含むことを特徴とする請求項２に記載の表示装置。
【請求項６】
前記基板固定部は、内部に駆動チップが配置される第１ホールを含むことを特徴とする請求項５に記載の表示装置。
【請求項７】
前記基板固定部は、外側から前記メイン収納部に向かって前記第１方向と異なる第２方向に陥入し、前記基板固定部を包むように折曲される前記軟質フィルムをガイドするガイドホームを更に含むことを特徴とする請求項１に記載の表示装置。
【請求項８】
前記メイン収納部は収納空間を形成する側壁及び該側壁と接続された底部を含み、前記基板固定部は前記側壁のうちのいずれか１つと接続されて前記底部より上部に配置されることを特徴とする請求項１に記載の表示装置。
【請求項９】
前記基板固定部は、前記基板固定部が前記メイン収納部と接続された一側の反対側の端部に形成され、前記基板固定部の第１面から該第１面の反対面である前記基板固定部の第２面に向かって突出する突起を含むことを特徴とする請求項８に記載の表示装置。
【請求項１０】
前記表示パネルと前記収納容器との間に配置されたモールドフレームを更に含み、前記モールドフレームは、前記光源モジュールを前記収納容器に固定して前記表示パネルを支持するメイン本体部と、前記メイン本体部と接続され、前記メイン本体部の一側部に沿って前記第１方向に延長されたカバー部と、を含むことを特徴とする請求項１に記載の表示装置。
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
透光性を有する一対の基板と、
前記一対の基板の間に少なくとも液晶素子を含む画素部と、
前記一対の基板の外側に照明部と、
前記一対の基板と前記照明部の間に第１の偏光部材と、
前記照明部の外側に反射部材と、
前記一対の基板を介して前記第１の偏光部材と反対側に第２の偏光部材と、
前記画素部の外側に設けられた第１の光センサと、
前記第２の偏光部材を介して前記一対の基板と対向して設けられた第２の光センサと、
を有し、
前記第１の光センサは外光の照度を検知する機能を有し、
前記第２の光センサは前記画素部から射出される偏光の色調を検知する機能を有することを特徴とする液晶表示装置。
【請求項２】
請求項１において、
前記第１の光センサで検知する外光の照度によって用いる表示形式を反射型または透過型の一方とすることができる機能を有することを特徴とする液晶表示装置。
【請求項３】
請求項１または請求項２において、
前記第１の光センサで検知する外光の照度によって用いる表示形式を反射型および透過型の両方とすることができる機能を有することを特徴とする液晶表示装置。
【請求項４】
請求項１乃至請求項３のいずれか一において、
前記照明部は第１乃至第３の波長を有する光を射出することができる光源を有し、
前記第２の光センサで検知する前記画素部の色調によって前記照明部は前記第１乃至第３の波長を有する光のいずれか一または複数を射出し、前記画素部の色調を補正する機能を有することを特徴とする液晶表示装置。
【請求項５】
請求項１乃至請求項４のいずれか一において、
前記画素部はトランジスタを有し、
前記トランジスタは結晶領域を有する半導体を含むことを特徴とする液晶表示装置。
【請求項６】
請求項１乃至請求項５のいずれか一において、
前記画素部はトランジスタを有し、
前記トランジスタは酸化物半導体を含むことを特徴とする液晶表示装置。
【手続補正書】
【提出日】平成26年5月30日(2014.5.30)
【手続補正１】
【補正対象書類名】明細書
【補正対象項目名】発明の名称
【補正方法】変更
【補正の内容】
【発明の名称】液晶表示装置
【手続補正２】
【補正対象書類名】特許請求の範囲
【補正対象項目名】全文
【補正方法】変更
【補正の内容】
【特許請求の範囲】
【請求項１】
複数の発光色を有する複数の光源と、
複数の画素を有する画素部とを有し、
前記画素は、光を透過する第１の画素電極と、光を反射する第２の画素電極と、第１のトランジスタと、第２のトランジスタを有し、
前記第１のトランジスタのソースまたはドレインの一方は、信号線と電気的に接続し、
前記第１のトランジスタのソースまたはドレインの他方は、前記第１の画素電極と電気的に接続し、
前記第１のトランジスタのソースまたはドレインの他方は、前記第２のトランジスタのソースまたはドレインの一方と電気的に接続し、
前記第２のトランジスタのソースまたはドレインの他方は、前記第２の画素電極と電気的に接続することを特徴とする液晶表示装置。
【請求項２】
請求項１において、
前記光源が発光する期間は、前記第１の画素電極と重なる液晶層に電圧を印加してカラー表示を行い、
前記光源が消灯する期間は、前記第２の画素電極と重なる液晶層に電圧を印加してモノクロ表示を行い、
前記カラー表示の際は、前記第１のトランジスタが駆動され、
前記モノクロ表示の際は、前記第１のトランジスタ及び前記第２のトランジスタが駆動されることを特徴とする液晶表示装置。
【請求項３】
請求項１または請求項２において、
前記光源は、複数の発光色を輪番に発し、
前記画素部は、第１の領域と第２の領域とを有し、
前記第１の領域には、前記光源からの発光色が、第１の輪番に従い順次供給され、
前記第２の領域には、前記光源からの発光色が、前記第１の輪番とは異なる第２の輪番に従い順次供給され、
同一の時間において、前記第１の領域に前記光源から供給される発光色と、前記第２の領域に前記光源から供給される発光色とは異なることを特徴とする液晶表示装置。
【請求項４】
請求項１乃至請求項３のいずれか一において、
前記第１のトランジスタ及び前記第２のトランジスタは、酸化物半導体を含むことを特徴とする液晶表示装置。
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
樹脂（Ａ）と、着色剤（Ｂ）と、光重合性単量体（Ｃ）と、光重合開始剤（Ｄ）とを含有する着色組成物であって、前記樹脂（Ａ）が、下記一般式（１）で表わされる構成単位（ａ１）と、エチレン性不飽和二重結合を有さない一つ以上の構成単位（ａ２）（ただし構成単位（ａ１）を除く）とからなる共重合体である樹脂（Ａ１）（ただし、エチレン性不飽和二重結合を有する場合を除く）を、樹脂（Ａ）の全量を基準として２５〜９５重量％含み、かつ前記光重合開始剤（Ｄ）が、オキシムエステル系化合物を含むことを特徴とするカラーフィルタ用着色組成物。
一般式（１）：
【化１】
2012053459.tif 000001
[一般式（１）中、Ｒ1、Ｒ2、Ｒ3は、それぞれ互いに独立して、−Ｈまたは−ＣＨ3であり、Ｒ4は
【化２】
2012053459.tif 000002
のいずれかであり、ｍ、ｎは、１〜５の整数である。]
【請求項２】
構成単位（ａ２）が、下記一般式（５）で表わされる構成単位を含むことを特徴とする請求項１記載のカラーフィルタ用着色組成物。
一般式（５）：
【化３】
2012053459.tif 000003
[一般式（５）中、Ｒ5、Ｒ6、Ｒ7は、それぞれ互いに独立して、−Ｈまたは−ＣＨ3である。）
【請求項３】
構成単位（ａ２）が、酸基を有しないことを特徴とする請求項１または２に記載のカラーフィルタ用着色組成物。
【請求項４】
樹脂（Ａ１）が、構成単位（ａ１）を１０〜７０重量％有することを特徴とする請求項１〜３いずれか１項に記載のカラーフィルタ用着色組成物。
【請求項５】
樹脂（Ａ１）の重量平均分子量が、７，０００〜４５，０００であることを特徴とする請求項１〜４いずれか１項に記載のカラーフィルタ用着色組成物。
【請求項６】
樹脂（Ａ１）の酸価が、５０〜１３０ｍｇＫＯＨ／ｇであることを特徴とする請求項１〜５いずれか１項に記載のカラーフィルタ用着色組成物。
【請求項７】
基板上に、請求項１〜６いずれか１項に記載のカラーフィルタ用着色組成物から形成されるフィルタセグメントを具備することを特徴とするカラーフィルタ。
【手続補正２】
【補正対象書類名】明細書
【補正対象項目名】００６８
【補正方法】変更
【補正の内容】
【００６８】
オキシムエステル系化合物としては、１，２−オクタンジオン，１−［４−（フェニルチオ）−，２−（ｏ−ベンゾイルオキシム）］、エタノン，１−［９−エチル−６−（２−メチルベンゾイル）−９Ｈ−カルバゾール−３−イル］−，１−（ｏ−アセチルオキシム）等が例示できる。また市販品としては、チバ・スペシャリティー・ケミカルズ社から、「ＩＲＧＡＣＵＲＥ ＯＸＥ ０１」、「ＩＲＧＡＣＵＲＥ ＯＸＥ ０２」、株式会社ＡＤＥＫＡから、「アデカオプトマーＮ−１９１９」等が市販されている。また、この他に、特開２００７−２１０９９１号公報、特開２００９−１７９６１９号公報、特開２０１０−０３７２２３号公報、特開２０１０−２１５５７５号公報、特開２０１１−０２０９９８号公報等に記載のオキシムエステル系化合物を用いることも可能である。
【手続補正３】
【補正対象書類名】明細書
【補正対象項目名】００９０
【補正方法】変更
【補正の内容】
【００９０】
【表１】
2012053459.tif 000004
【手続補正４】
【補正対象書類名】明細書
【補正対象項目名】００９１
【補正方法】変更
【補正の内容】
【００９１】
表１中の略語は以下の通り。
・構成単位（ａ１）の前駆体
ＡＡＤ：アクリル酸二量体  （ａｃｒｙｌｉｃ  ａｃｉｄ  ｄｉｍｅｒ）
ＨＯ−ＭＳ：共栄社化学製「ライトエステルＨＯＭＳ」；２−ヒドロキシエチルメタアクリレート無水コハク酸変性物
Ｍ５３００：東亞合成社製「アロニックスＭ−５３００」；ω−カルボキシ−ポリカプロラクトンモノアクリレート
【手続補正５】
【補正対象書類名】明細書
【補正対象項目名】０１０８
【補正方法】変更
【補正の内容】
【０１０８】
表２中の光重合開始剤は以下の通りである。
光重合開始剤Ａ：
チバ・スペシャリティー・ケミカルズ社製「ＩＲＧＡＣＵＲＥ ＯＸＥ ０２」
；エタノン，１−［９−エチル−６−（２−メチルベンゾイル）−９Ｈ−カルバゾール −３−イル］−，１−（ｏ−アセチルオキシム）
光重合開始剤Ｂ：
チバ・スペシャリティー・ケミカルズ社製「ＩＲＧＡＣＵＲＥ ＯＸＥ ０１」
；１．２−オクタンジオン，１−［４−（フェニルチオ）−，２−（ｏ−ベンゾイルオキシム）］
光重合開始剤Ｃ：
株式会社ＡＤＥＫＡ社製オキシムエステル系光重合開始剤
光重合開始剤Ｄ：
チバ・スペシャリティー・ケミカルズ社製「ＩＲＧＡＣＵＲ ３７９」
；２−（ジメチルアミノ）−２−［（４−メチルフェニル）メチル］−１−［４−（４−モルホリニル）フェニル］−１−ブタノン
光重合開始剤Ｅ：
チバ・スペシャリティー・ケミカルズ社製「ＩＲＧＡＣＵＲ ９０７」
；２−メチル−１−（４−メチルチオフェニル）−２−モルフォリノプロパン−１−オン
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
第１の回路と、第２の回路と、を有し、
前記第１の回路は、アンテナを介して受信した無線信号を整流し、内部電圧を生成する機能を有し、
前記第２の回路は、第１のトランジスタと、第２のトランジスタと、を有し、
前記第１のトランジスタは、第１のゲート電極と、第１のソース電極と、第１のドレイン電極と、酸化物半導体を有する第１の半導体層と、を有し、
前記第１のゲート電極は、前記アンテナに電気的に接続され、
前記第１のドレイン電極は、前記アンテナに電気的に接続され、
前記第１のソース電極は、接地され、
前記第２のトランジスタは、第２のゲート電極と、第２のソース電極と、第２のドレイン電極と、酸化物半導体を有する第２の半導体層と、を有し、
前記第２のゲート電極は、接地され、
前記第２のソース電極は、前記アンテナに電気的に接続され、
前記第２のドレイン電極は、接地され、
前記第２の回路は、前記無線信号の振幅が前記第１の回路の最低動作電圧以上となったとき、動作することを特徴とする半導体装置。
【請求項２】
第１の回路と、第２の回路と、第３の回路と、第４の回路と、を有し、
前記第１の回路は、アンテナを介して受信した無線信号を整流し、内部電圧を生成する機能を有し、
前記第２の回路は、第１のトランジスタと、第２のトランジスタと、を有し、
前記第１のトランジスタは、第１のゲート電極と、第１のソース電極と、第１のドレイン電極と、酸化物半導体を有する第１の半導体層と、を有し、
前記第１のゲート電極は、前記アンテナに電気的に接続され、
前記第１のドレイン電極は、前記アンテナに電気的に接続され、
前記第１のソース電極は、接地され、
前記第２のトランジスタは、第２のゲート電極と、第２のソース電極と、第２のドレイン電極と、酸化物半導体を有する第２の半導体層と、を有し、
前記第２のゲート電極は、接地され、
前記第２のソース電極は、前記アンテナに電気的に接続され、
前記第２のドレイン電極は、接地され、
前記第３の回路は、前記無線信号を復調し、内部信号を生成する機能を有し、
前記第４の回路は、前記第１の回路にて生成された前記内部電圧を定電圧化して電源電圧として出力する機能を有し、
前記第５の回路は、前記第４の回路にて生成された前記電源電圧と、前記第３の回路にて生成された前記内部信号と、を用いて解析を行い、応答信号を生成する機能を有し、
前記第６の回路は、前記第５の回路にて生成された前記応答信号を変調し、前記アンテナに変調信号を出力する機能を有し、
前記第２の回路は、前記無線信号の振幅が前記第１の回路の最低動作電圧以上となったとき、動作することを特徴とする半導体装置。
【請求項３】
請求項１または２において、
前記第１のトランジスタは、第３のゲート電極を有し、
前記第２のトランジスタは、第４のゲート電極を有し、
前記第１の半導体層は、前記第１のゲート電極と前記第３のゲート電極との間に設けられ、
前記第２の半導体層は、前記第２のゲート電極と前記第４のゲート電極との間に設けられることを特徴とする半導体装置。
【請求項４】
請求項１乃至３のいずれか一において、
前記無線信号は、搬送波または振幅変調波であることを特徴とする半導体装置。
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
第１のクラスの文書画像の低分散領域から画像アンカテンプレートを生成する方法であって、前記第１のクラスの前記文書画像は、同じタイプの文書画像の収集であり、前記方法は、
前記第１のクラスの文書画像から１つの文書画像を選択することと、
前記第１のクラスの他の文書画像をアラインすることであって、
前記アラインすることは、さらに、
前記他の文書画像の各々から複数のサブ領域を選択することと、
前記他の文書画像の各々の前記選択されたサブ領域の各々について、前記選択された文書における最良一致を決定することと、
前記他の文書画像の各々の前記選択されたサブ領域の最良一致と、前記他の文書画像の各々の前記選択されたサブ領域との差を最小にするために、前記他の文書画像の各々について、最小二乗分析を用いて変換を決定することと、
前記他の文書画像の各々の前記決定された変換に従って、前記他の文書画像の各々を変換することと  
を含み、
前記アラインされた文書画像と前記選択された文書画像とを比較することによって前記低分散領域を決定することであって、前記低分散領域は、前記選択された文書画像と他の文書画像との間で少し変わる領域であり、
前記決定された低分散領域から画像アンカテンプレートを生成することであって、前記方法は、少なくとも１つのデジタルプロプロセッサを用いて実施される
方法。
【請求項２】
前記選択された文書画像は、前記他の文書画像より高品質である請求項１に記載の方法。
【請求項３】
前記他の文書画像の各々の前記選択されたサブ領域の各々の前記最良一致を決定することは、前記他の文書画像の各々の前記選択されたサブ領域の各々におけるピクセルを前記選択された文書画像における対応する部分におけるピクセルと関連づけることによって前記他の文書画像の各々の前記選択されたサブ領域の各々の最良一致を探すことを含む請求項１に記載の方法。
【請求項４】
前記他の文書画像の各々の前記選択されたサブ領域の各々の前記最良一致を決定することは、階層探索手続きを用いて実施される請求項１に記載の方法。
【請求項５】
第１のクラスの文書画像の低分散領域から画像アンカテンプレートを生成する方法であって、前記第１のクラスの前記文書画像は、同じタイプの文書画像の収集であり、前記方法は、
前記第１のクラスの文書画像から１つの文書画像を選択することと、
前記第１のクラスの他の文書画像をアラインすることと、
を含み、
前記アラインすることは、
ブロックの集合として前記他の文書画像の各々を定義し、前記他の文書画像の各々の前記ブロックの集合の各々は、近傍ブロックを有し、
前記他の文書画像の各々の前記ブロックの集合の前記ブロックの各々のための前記選択された文書画像における最良一致を決定し、前記他の文書画像の各々の前記ブロックの集合のブロックの各々の前記最良一致は、マッチスコアを含み、
前記他の文書画像の各々の前記ブロックの集合の前記ブロックの各々のための並進ベクトルを決定し、
アラインされた文書を定義するように、前記他の文書画像の各々の前記ブロックの集合の前記ブロックの各々の前記並進ベクトルによって前記他の文書画像の各々の前記ブロックの集合の前記ブロックの各々をシフトする
ことを含み、
前記アラインされた文書画像と前記選択された文書画像を比較することにより前記低分散領域を決定し、前記低分散領域は、前記他の文書画像と他の文書画像との間で少し変わる領域であり、
前記決定された低分散領域から画像アンカテンプレートを生成し、
前記方法は、少なくとも１つのデジタルプロプロセッサを用いて実施される
第１のクラスの文書画像の低分散領域から画像アンカテンプレートを生成する方法。